(57)【特許請求の範囲】
【請求項１】
基板の電極に接着材料を印刷し、
印刷直後の基板に、前記接着材料に付着する針状もしくはフレーク状の感磁性導電体を、基板の全面に磁界を印加した状態で振りかけることにより、当該感磁性導電体を前記接着材料に立てた状態で付着させ、
前記感磁性導体の起立方向性を損なわない様に前記基板の全面を加圧し、
当該基板から接着されなかった感磁性導電体を振り落とし、
前記接着材料の加熱硬化を行い、
接着しなかった感磁性導電体を除去する工程を経る基板の製造方法。
【請求項２】
基板の電極に感磁性導電粉をフィラーとして５パーセントから５０パーセント含む接着材料を印刷し、
印刷直後の基板に、前記第一の接着材料に付着する針状もしくはフレーク状の感磁性導電体を、基板の全面に磁界を印加した状態で振りかけることにより、当該感磁性導電体を前記接着材料に立てた状態で付着させ、
当該基板から接着されなかった感磁性導電体を振り落とし、
前記接着材料の加熱硬化を行い、
接着しなかった感磁性導電体を除去する工程を経る基板の製造方法。
【請求項３】
部品の電極に第一の接着材料を印刷し、
印刷直後の部品に、前記第一の接着材料に付着する針状もしくはフレーク状の感磁性導電体を、部品の全面に磁界を印加した状態で振りかけることにより、当該感磁性導電体を前記接着材料に立てた状態で付着させ、
前記部品にシートをかけて前記感磁性導体の起立方向性を損なわない様に全面を加圧し、
当該部品から接着されなかった感磁性導電体を振り落とし、
前記接着材料の加熱硬化を行い、
接着しなかった感磁性導電体を除去する工程を経る電子部品の製造方法。
【請求項４】
部品の電極に感磁性導電粉をフィラーとして５パーセントから５０パーセント含む接着材料を印刷し、
印刷直後の部品に、前記第一の接着材料に付着する針状もしくはフレーク状の感磁性導電体を、部品の全面に磁界を印加した状態で振りかけることにより、当該感磁性導電体を前記接着材料に立てた状態で付着させ、
当該部品から接着されなかった感磁性導電体を振り落とし、
前記接着材料の加熱硬化を行い、
接着しなかった感磁性導電体を除去する工程を経る電子部品の製造方法。
【請求項５】
前記請求項１又は請求項２に記載の製造方法により得られた基板の感磁性導体が付着した部分に前記接着材料を付着し、
前記請求項３又は請求項４に記載の製造方法により得られた部品の電極部に付着した感磁性導体が前記基板の感磁性導電体の先端部とかみ合わさる程度にまで押しこみ、
前記接着材料の加熱硬化を行う工程を経る電子部品の実装方法。
【請求項６】
前記請求項１又は請求項２に記載の製造方法により得られた基板の全面に接着材料を塗布し、
前記請求項３又は請求項４に記載の製造方法により得られた部品の電極部に硬化剤もしくは硬化促進材料を塗布し、
当該部品の電極部に付着した感磁性導体が前記基板の感磁性導電体の先端部とかみ合わさる程度にまで押しこみ、
当該部品の電極部に塗布した接着剤が硬化し、他の部分が未硬化である間に、未硬化の接着材料を洗浄除去する工程を経る電子部品の実装方法。
【請求項７】
前記接着材料に感磁性導電粉を含ませ、当該感磁性導電体粉が前記基板と部品の接続面に亘って配向させる磁界を印加して前記請求項５又は請求項６のいずれかに記載の工程を経る電子部品の実装方法。
【請求項８】
磁石により、前記請求項１又は請求項２に記載の製造方法により得られた基板の感磁性導体が付着した部分と、前記請求項３又は請求項４に記載の製造方法により得られた電子部品の電極部に対して異なる磁極の磁性を与え、前記請求項５乃至請求項７のいずれかに記載の工程を経る電子部品の実装方法。
【発明の詳細な説明】
【０００１】
【発明の属する技術分野】
この発明は電子回路基板に電子部品等を電気的に接続するとともに機械的にも固定する実装技術に関するものであり、とくに有害物質である鉛を含有する合金であるはんだなどの材料を用いることなく実装を行うこと、および部品自体に鉛を含まなくする、いわゆる鉛フリー実装技術に関するものである。
【０００２】
【従来の技術】
電子部品の実装には、はんだ付けを行うのが従来の常識であり他の方法はほとんど実用に供されなかったが、近年はんだや部品自体に含まれる鉛が有害な環境汚染物質であることからこの使用が禁止される方向にあり、さらに有機錫が環境ホルモンとして有害であるとする実験結果もあり、鉛入りはんだに代わる材料もしくは、はんだ付けに代わる方法が探索されている。
しかしながら従来のはんだ付けの特性レベルを実現するための鉛フリーはんだ合金は従来の温度よりも約３０度はんだ付け温度を上げなければならず、低融点のはんだ合金をつくるには、ビスマスなどの材料をまぜればよいもののはんだ付け特性や機械的強度に問題があり、従来のはんだにくらべて明らかに信頼性が劣る問題があった、またいずれの場合も錫はベースとなる金属であり、錫が否定された場合は、錫を含まないはんだ付け合金はほとんど不可能であることなどの問題がある。
またはんだ温度の上昇は２５０℃の熱歪みを基板および部品に発生させることとなり、一部のLSIなどの部品においては致命的な問題ともなるほか、液晶や電解コンデンサなど、もともと熱に弱い電子部品は実装できない問題があった。
他の方法としては導電性接着材料を用いて接着により実装する方法も知られているが、接着材料を厚く付着しなければ部品電極面での凹凸の吸収ができず接着力が不十分であり、厚くつけると部品をつけた際に接着材料が横方向にはみ出して隣の回路と短絡を生じやすい問題があった。
また組み立てられる電子部品についてもはんだ付け性確保のために電極部にはんだめっきをほどこし、本体にもはんだの温度に耐えるようなものとするため、鉛を含むガラスをベースとしたメタルグレーズなどの材料が使われていたが、この鉛についても問題となっていた。
別の方法としては異方性導電フィルムなどの材料により接続する方法も知られているが、この方法は完全な平面同士の接着で均等に圧力をかけられるようなものでなければ使いにくい問題があり一般の電子部品の接続には向かない問題があった。
さらに米国特許４１７０６７７号（１９７９年１０月９日出願）には本発明でも用いている感磁性フィラーを含有する接着材料を塗布した後磁界をかけることによりその感磁性フィラーが磁力線の方向に配列され導電路を形成することで電気的接続を行うことが開示されているが、発明者の経験によればこの導電路はごく細いものが限られた少数しか形成されず、しかも接触部への接触圧力も小さく酸化などによりおかされて信頼性が取れない問題があった。
発明者は先に特願２００１−６１９０９において導電性接着材料を接着ベースとした接続方法を発明し出願しているが、導電性接着材料は導電性を実現するために銀などの粉末を６０パーセント程度含有する必要があるため接着強度が劣る問題があり、特に発明の主眼である感磁性粉末を電極面に立てる形で付着するような場合に粉末が接着材料に突っ込んだ形での接着が実現しにくい問題があった。
【０００３】
【発明が解決しようとする課題】
本発明が解決しようとする課題の第一は電子回路の実装および電子部品自体において鉛を使わないこと、第二は高温を用いないこと、第三は従来の導電性接着材料のみの接着方法で問題であった横方向へのはみ出しによる短絡を防ぐに有効な方法を提供すること、さらに導電性を有しない通常の接着材料を用いても導電性が確保できる接続方法を実現することにある。
さらに導電性接着材料は貴金属である銀を大量に含むので高価であるがこれをなくするかまたは少なくすることでコストダウンを図ることにある。
【０００４】
【課題を解決するための手段】
本発明においては電子部品実装にはんだ付け法を用いないことにより、鉛を使わないことおよび高温を用いないことの二点は実現し、さらに高温を用いないことにより電子部品の構成材料から鉛を取り除くことを可能ならしめたものである。
また導電性接着材料のみによる接着方法における導電性接着材料のはみ出しを防ぐ方法を実現するものであり、その構造を形成するのに導電性接着材料を用いなくても接着性に優れた通常の接着材料で導電接続を可能ならしめる方法を含むものである。
【０００５】
従来の導電性接着材料のみによる電子部品の接着には接着材料の厚さを確保することにより、部品と接着材料との接触面を確保し接着力を確保することが行われていた、またこの厚さには部品の接続面の平坦性やICなどのように多数のリード線を持つ部品の足の並びの平坦性のばらつきを吸収してすべての接続を確保する意味もあった。
しかしながらこの厚さは部品を実装した際に導電性接着材料を横方向にはみ出させる効果をもち、実装部品の位置決めのばらつきとあいまって隣のパターンとの短絡を生じやすく、実用上はリードピッチで０．７ミリ以下のものには適用しがたく、近年すくなくとも０．３３ミリピッチが要求される実装には合わない問題があった。
さらに高価な銀を含む材料を厚く付けることはコストが高くなる問題があり、このコストダウンも常に求められるところであった。
【０００６】
また発明者による先願の特願２００１−６１９０９では導電性接着材料を用いて感磁性導電粉末などを付着する方法を用いていたが、導電性接着材料はもともと銀などの成分が６０パーセントほど入っており、接着性を犠牲にせざるを得ない問題があり、当然コストも問題であった。
【０００７】
本発明では接続すべき電極面に通常の接着材料もしくは感磁性導電粉を銀に比べて少量で接着力の低下が少ない２０パーセント程度含んだ接着材料を塗布した後、導電性粒子もしくは感磁性導電体を電極面に立てる形で圧力もしくは磁気による吸着力を印加して接着し導電性粒子もしくは感磁性導電体による凹凸または針状突起が多数出ているような形状をつくり、実装においては基板側と部品側の突起部分がかみ合った形で導電接続がなされその状態で接着固定されるものである、このため導電性接着材料を使わなくても接続は可能であるが、より確実性を求めて導電性接着材料を使った場合においても横方向への広がりは少なく、凹凸もしくは針山の谷に押し付けられるような方法で吸収するものであり隣接する導体パターン間で短絡する可能性はきわめて少なくなくなるものである。
感磁性導電粉をフィラーとして用いた接着材料は本発明では主たる導電材料である感磁性導電体の接触を補強する働きとして、絶縁性接着材料に代えてもちいており、米国特許４１７０６７７号とはその構成が全く異なり、主たる導電体は接着材料中には含まれておらず新たに外部から感磁性導電体を大量に付着させて多数の導電路を形成しているのが本発明の特徴であり、この感磁性導電粉のフィラーによっても導電路が補強されることでより高い導電性と信頼性が得られている。
機械的強度の確保のため電気的接続の後にさらに絶縁性接着材料をディスペンスなどの方法で付着することで補強することができる。
このような形で接続リードピッチ０．３３ミリの高密度実装にも対応可能である。
【０００８】
本発明によれば従来のような導電性接着材料の横方向への広がりがすくなく高密度の実装にも応用可能である、また導電性はほとんどが感磁性導電体や導電性粒子により担われることから、レジンと金属粉の混成体である従来の導電接着材料よりも導電性に優れており少ない接触面積であっても従来よりは導電性に優れ信頼性もマイグレーションの可能性が低いことなどから優れている、さらに機械的な強度は絶縁性接着材料により全面的な接着を行うので問題はない。
またはんだ付けの高温にさらされないので、組み立てるべき電子部品においてはんだ付け性を確保するためのはんだめっきが不要であり、部品自体の耐熱性も不要であることから鉛を含むガラスなどの高温耐熱性材料を用いないで部品を構成することが出来る。
【０００９】
【実施例】
本発明による低温度鉛レス実装方法の実施例を述べるに際し、まず主要材料について述べる。
【００１０】
１  接着材料
本発明においてはおおむね５種類の接着材料を試している。
第一には基板および部品の電極面に印刷により接着する絶縁性接着剤であり、印刷性、および金属粒子の付着性に優れたものである、出来れば一液性が望ましいがライフが一日以上確保できるならば二液性のものでもよい。
第二に同じく印刷に用いられるものとして感磁性導電粉をフィラーとして含んでいる接着材料がある。
このフィラーは印刷性を最適にするのに役立つ程度の量である２０パーセント程度を含むものであり、一般には接着材料としては導電性をもっていないものである。
この２０パーセントという含有量は一例であって印刷性と導電接続性の兼ね合いから決まるものである、実験的には５パーセントから５０パーセントの広い範囲で実用可能であった。
フィラーの材質としてはニッケルフレーク粉末で４００メッシュパス程度の粒度のものであったが、ニッケル粉の表面に銀をメッキしたものも導電性向上の目的で用いている。
これらの粉末は磁界の存在で磁力線の方向に並行して立ち上がった形で磁石にひきつけられ、その結果磁石の反対側の面ではフィラーの密度が低くなり、外部から感磁性導電体を付着する際に感磁性導電体がフィラーに邪魔されずに接着材料に入って行きやすく接着しやすくなる利点があり、磁石側である電極面側は導電性フィラーが電極面に高い密度で引き付けられ導電性接続がより確実になる利点がある。
第三の接着材料は絶縁性であり全面に薄く塗布した後実装して接着を完了した後実装に寄与しなかった部分は洗い流すことが出来るものである。
これを用いる際には硬化剤もしくは硬化促進効果をもつ材料を部品側の接着面に塗布するかもしくは導電性粒子の表面に薄くコーティングしておくなどの方法により、部品実装部分のみ硬化するかもしくは硬化を早めるかする方法に用いている。
第四の接着材料は実装の機械的補強に用いるもので実装完了後ディスペンサーなどを用いて接着部分に塗布し、補強するものである。
第五の接着材料は一般の導電性接着剤であり接着面の一方に印刷もしくはディスペンスなどの方法によって塗布し、双方の接続面を電気的につなぐことで接着するものである。
この特性は印刷性と、凹凸面でも流れ落ちない程度の固さをもっていることである。
【００１１】
２  感磁性導電体
主としてニッケルフレークで50メッシュパス、２00メッシュストップ程度のかなり粗い分布を持つものを用いたが分布としてはこれに限るものではなく一般に導電性接着材料などに使われている金属粉よりは粗い分布のものが好ましい結果を得ている。
高密度の実装間隔が求められる場合はこの粒度分布はより細かな方を選択することになる。
他にフレーク状や粒状のニッケルさらにはフレーク状または粒状のニッケルに銀メッキを１ミクロン以上の厚さに施したものさらにはフェライトなどの磁性体の針状結晶体に銀メッキを施したものも試しているが磁気に感応して吸着されるような材料でありかつ導電性を有するものであればよい。
ここでは接着材料にはじめからフィラーとして入れる場合の感磁性導電粉もしくは後の工程で感磁性導電体に磁力で付着させる用途の感磁性導電粉とは区別して用い、導電粉とは400メッシュパス程度の細かなものであり、導電体とは前記の粗いものと定義してのべている。
これらはいずれも従来の導電接着材料のように貴金属である銀を多く含まず、コスト的なメリットもあるものである。
【００１２】
３  導電体粒子
これは磁性を利用しない場合のものであり、ここでは銅粉で５０ないし１５０メッシュのものを用いた、これは接着剤に付着した際に押し付けても接着材料中に埋まってしまわない程度の粗さとして選んでいる、この粒度分布も前記同様にこれに限るものではない。
【００１３】
次に作業についてのべる。
１  まず基板の電極面に第一の接着材料のペーストをスクリーン印刷法により指定のパターンで付着する、この際スクリーンのメッシュは１２５メッシュで印刷厚さは２０−３０ミクロン、乾燥硬化後は１０−２０ミクロンになるようなものであったがこれは細かな粒度の導電体を用いる場合には薄くすることになる。
【００１４】
２  この印刷直後の基板を平面型のフェライト磁石の表面にシートを敷いた状態で磁石の中心付近に置き、上から篩いを用いて感磁性導電体を全面にくまなく行き渡るように振りかけた。
フェライト磁石の磁力は表面で５００ガウス以上あれば十分であり他の磁石でもかまわない。
【００１５】
３  この後全面にシートをかけてゴムなどを介して軽く圧力を全面に行き渡るように印加し第一の接着材料に感磁性導電体を食い込ませるようにした。
なお感磁性導電体は磁力線の方向に整列する性質がありそのことから基板面に垂直に立った状態に保たれており、この方向性をそこなわないように圧力印加をおこなっている。
この押さえ工程は強力な磁石を用いて感磁性導電体を確実に電極と導電接続できる場合などには省略することも可能である。
【００１６】
４  この後磁石からほぼ垂直な方向に基板を引き上げて取り出した後、接着されなかった感磁性導電体を振り落とし、必要な場合にはガラスなどを用いて再度全面をおさえて平面性を確保する試みも行ったが通常この押さえの必要はない。
【００１７】
５  この後１２０℃５分の加熱硬化工程に通した、この際感磁性導電体の垂直方向性を保持するため磁石の上に置いた状態で加熱すればより完璧である、その後表面側からサマリウムコバルト磁石のような強力な磁石をもちいて残留の接着しなかった感磁性導電体を取り除いた。
この温度に関しては用いる材料によりその最適条件を選べばよいが、通常はエポキシなどでは１５０℃以下，シリコン系などでは１８０℃以下である。
磁石の耐熱劣化などの観点からも低い温度がのぞましい。
【００１８】
６  この基板に第一の接着材料をほぼ同じパターンで印刷するかもしくはディスペンスすることにより感磁性導電体の付着した部分に付着した。
この際の材料は先の印刷材料よりは幾分固いものであり、厚さは３０ミクロン以上を確保するようにマスクもしくはディスペンサーを選定している。
この硬さは感磁性導電体の表面で接着材料が流失してしまわない程度のものであり、この後の工程で部品側の導電体との接着が可能な程度のものである。
【００１９】
７  この状態で基板を磁石の上に置き電子部品を正確な位置に配置し実装した、この際圧力を印加して部品の電極部の導電体が基板の感磁性導電体の先端部と噛み合わさる程度にまで押しこむとともに磁力でその状態を保つようにした。
この際部品の電極表面にも同様の方法で感磁性導電体もしくは導電体粒子を施したものを用いている。
双方の材料が感磁性でない導電体粒子の場合は機械的圧力のみで押さえることになり磁石は用いなくても良い。
この部品への感磁性導電体もしくは導電体粒子の接着方法については後に詳述する。
【００２０】
８  この後再度加熱硬化した、条件は同じく１２０℃５分であった。
９  この状態で回路機能テスト等に供し接続不良などがないかを検査し問題があれば速乾性の銀塗料を細い筆で塗布する方法などにより修正した。
【００２１】
１０  この後第四の接着材料である透明エポキシ接着剤を接着部の上から塗布し硬化して部品の機械的接着強度を確保した。
１１  原則として銀を含む導電性塗料などは使わないかもしくは少なくしていることは本発明の主眼の一つであるが、このことは銀が水分と電界の存在下でマイグレーションと称される移行現象を発生して短絡を生ぜしめる可能性をなくするかまたは少なくし、信頼性を高めることにつながっているほかコストダウンにもつながっている。
【００２２】
ここでこの方法に用いる部品の特徴および部品の電極に感磁性導電体もしくは導電性粒子を接着する方法についてのべる。
ここに用いる部品としては代表的なものとしてチップ抵抗器とリード端子をもっているLSIなどの表面実装部品について説明する。
【００２３】
チップ抵抗器の工程においては一般に平面状のセラミック基板に印刷等によりガラスを含むメタルグレーズ系材料をもちいてスクリーン印刷法により所定形状に形成した後おおむね８５０℃で焼成して抵抗体や電極を形成し、レーザーによるトリミングを行い、絶縁保護および表示印刷などを行った基板をチョコレート形状に一次分割し、分割側面に導電性材料を塗布し硬化させた後個別に分割し、めっき工程において電極部分にニッケルとはんだのめっきをかさねてはんだ付け性を確保することをおこなっている。
【００２４】
本発明においてはまずめっきの工程をなくすることにより工程短縮と鉛を用いないことを可能にしている。
さらに抵抗器や電極などの材料は、はんだの熱にさらされないことからはんだ耐熱性への配慮が不要であり、鉛を含むガラスをベースとした従来の材料から鉛を含まないレジンをベースとした材料に変更することができる。
一般にこれらレジン系材料は高温系材料のようにパラジウムやルテニウムなどの高価な材料を含まずコストにおいても大きなメリットがある。
一例をあげれば抵抗材料としては１５０℃程度で硬化するフェノール、エポキシなどのレジンにカーボンブラックなどの導電粉末を混ぜたものや、さらには
２５０℃以上の温度で硬化するドリルレジン（ポリイミド系）をベースにカーボンブラックなどを混ぜたものなどである。
【００２５】
ドリルレジンによる抵抗や電極はその後の工程で用いられるエポキシなどの材料の乾燥硬化温度よりもはるかに高い温度で硬化処理されることから、工程変化が少ない利点がある。
電極材料としては前記の抵抗材料の中で低抵抗値の材料を用いることも可能であるが銀粉末などを前記レジン材料に混ぜたものがよい。
【００２６】
この工程においてはレジン系材料を用いて一般の工程と同様にセラミック基板表面に抵抗体を印刷し、さらに表と裏の面に電極を印刷しそれぞれ所定の乾燥硬化をおこない、レーザーなどにより抵抗値のトリミングを行い、表側に絶縁性保護材料をほどこす。
この段階で裏面の電極で分割線から０．１ミリほど離れた位置に接着材料を印刷し、先に基板について行ったと同様に磁界をかけた状態で感磁性導電体を振り掛け、押さえることにより接続面を形成する。
この場合の接着材料は導電性を有する第五のタイプが良い。
後に他の実施例として基板について詳述するが感磁性を有しない導電体粒子を付着する場合については磁界をかけないことをのぞいては同様に行っている。
この後チョコレート状に分割し、側面に主として銀塗料などを塗布して表裏を導通させる。
【００２７】
これらの乾燥硬化温度は一般例に述べたガラス系材料の場合の８５０℃と異なり、よく用いられるエポキシ系材料では１５０℃以下、もっとも高いドリル系材料でも３００℃以下であり、はるかに低いものである。
これをさらに個別に分割することによりチップ抵抗器が完成される。
【００２８】
別の作り方として特に小型のチップ抵抗器の場合、側面電極形成部にスリットを形成してスパッターなどの方法によりスリットの側面に薄膜を形成して表裏を導通することも行われているが、この場合は側面電極形成後に接着材料を印刷することで同様に感磁性導電体もしくは導電体粒子を接着し形成すればよい、この際はスリット部から離れたパターンなどは不要であり裏面の電極全面に印刷してよい。
【００２９】
LSIなどの場合、リード線は平面に並ぶように作られており、この平面性を損なわないように治具などを作りそこにはめ込んで印刷法により、リード部表面に接着材料を付着し、先の方法と同様に感磁性導電体や導電体粒子をつける方法やマスクした状態で接着材料をスプレーにより付着した後感磁性導電体や導電体粒子を付着する方法がある。
できるならばリードフレームを切断する以前にこれをやったほうがリードの平面性を損ないにくく有利である。
このリード部についてもはんだ付け性は不要であり、鉛を含むはんだなどの材料のめっきは不要である。
以上のように本発明によれば接続のみならず、部品レベルでも鉛を含まない工程が実現できるものである
【００３０】
「その他の実施例」
１  感磁性導電体を用いない方法としては基板面に３０ミクロン程度に第一の接着材料を所定パターンに塗布したのち、５０メッシュパス、１５０メッシュストップ程度の導電体粒子を基板の接着面にふりかけた後、圧力をかけて接着部分に導電体粒子を接着する方法も試みた。
この後付着しなかった導電体粒子は振り落として取り除いた。
他の工程については先に述べたと同様におこなった。
【００３１】
２  基板に部品を実装する場合において、まず基板に全面に第三の接着材料であるエポキシ接着剤の硬化の遅いタイプを薄く塗布した後、部品の実装側の面に硬化剤もしくは硬化促進剤を薄く塗布し基板を磁石の上に置いた状態で部品実装を行い部品の電極部および他の接触面で接着し硬化した後、接続部以外の硬化の遅いかまたは硬化しないエポキシ接着剤を洗い流す方法も試みた。
この方法によれば接着材料の位置決めによる塗布の面倒がなく、部品実装の位置決めの精度のみで実装の位置決め精度が決定する点で有利である、また接着材料の印刷性を考慮する必要がないので流動性の高い接着材料を薄く付着して、導電体同士の接着に邪魔にならないように出来る点でも有利である。
部品側の感磁性導電体もしくは粒状導電体に導電性を損なわない程度に硬化剤もしくは硬化促進剤をコーティングしておくことで接続面および部品表面近傍のみ硬化を早める方法も有効であった、また硬化促進性のある金属イオンを発生させる材料を用いそれに反応しやすい接着材料を選択することも一つの方法である。
いずれの場合も磁石で引き付けておくことで部品の接続が強固になり動きにくい効果があった。
【００３２】
3  感磁性導電体に強磁性体であるニッケルやフェライト粉に銀メッキしたものなどを選択しそれぞれ基板側および部品側に付着した後も磁石作用が残っているようにし、実装の前に遊離した感磁性導電粉をその磁化された感磁性導電体に吸着させて実装し、磁力により電気的接続を確保した状態で接着剤で固めることも行なった。
これによれば遊離感磁性導電体がクッション作用をして部品やICの足の平坦性のばらつきを吸収して確実な接続がえられた。
【００３３】
４  部品を基板に実装するに際し感磁性導電粉をフィラーとして含む接着材料を基板側接続面に塗布し磁界をかけた状態で部品を実装し硬化させることもおこなった。
この方法の利点は接着材料中の感磁性導電粉が接続面に垂直に立つ方向で配向されるので電気的接続を強化できることにある。
とくに感磁性導電粉は基板電極表面に押し付けられる方向に磁力が働くので接触する確率が高く、また反対側は接着成分の比率が高く、外部から付着する感磁性導電体がフィラーに邪魔されずに接着材料に入り込み、さらに接着成分が多いことから接着しやすい利点がある。
また感磁性導電粉は総体として感磁性導電体を包むような形で接触し、これがない場合の平面との点接触に比較して接続の確実性が高まる効果がある。
この際接着材料が所定位置よりはみ出すことがあっても感磁性導電粉は垂直方向に配向され水平方向には絶縁されるので問題はないことから接着材料の塗布の位置決めはラフなものでも良い利点がある、さらには部品本体部分もこの接着材料で同時に固定することが出来るので機械的強度も向上する。
【００３４】
５  これまで述べたいずれの場合においても基板側はN極を上に向けた磁石に載せ、部品側はS極を上に向けた磁石の上に載せる事で統一した、この方向は逆でもかまわないのだが統一基準としてこのようにした。
これにより基板側の感磁性体表面はN極、部品側はS極に磁化され実装の際にお互いに引き合うことから位置決めに対してセルフアラインメント効果が生じ好都合であった。これが反対であったならば反発力で位置をずらす効果をもつことになり、この点は重要である。
感磁性導電体同士が引き合うことで導電接続が完全になり、外部の磁石にも引き付けられることから強固に接続され、接着材料で固める際にも位置ずれが発生しにくい効果もあった。
【００３５】
６  先に特願２００１−６１９０９に出願したごとく基板側を本発明による感磁性導電体などが表面に露出した構造とし、部品側に導電性接着材料を塗布して接着することも有効であった。
この際は部品側の導電接着材料は５０ミクロン程度に比較的厚く付着し、部品電極面の平坦性のばらつきを吸収するようにしたが、接着材料は感磁性導電体の間に垂直に押さえつけられて吸収され、横方向へのはみ出しは少なく、０．３３ミリメートルピッチの高密度実装に耐えられる方法であることが確認されている。
これについては部品側と基板側の構成を逆にして基板側に導電性接着材料を塗布する方法も同様に有効であった。
【００３６】
７  （００３５項）に述べた方法において接着材料を絶縁性のものにして部品を押し付ける形で電気的接続を図ることも試みたが、感磁性導電体などの表面は微視的には平坦ではなく、接触点が少なくなることから採用しなかった。
【００３７】
８  （００３５項）に述べた方法において接着材料に感磁性導電粉をフィラーとして含む接着材料を部品電極側に付着して磁界の存在下でフィラーを磁石で部品電極側に引き付けつつ部品をおさえつけて接着硬化する方法も試みて有効であることを確認した。
この際の感磁性導電粉の含有比率は基板側の場合よりも高く２５ないし５０パーセント程度とし、ステンレスマスクなどで印刷するかもしくはディスペンサーを用いて５０ミクロン程度の厚さに付着した、厚く付けることの必要性と、導電路を増やす目的からもフィラー分が多いほうが固めの接着材料に出来るので有利であり、さらに基板側の感磁性導電体の平坦性のばらつきは感磁性導電粉のフィラーで吸収されて導電路が確保され、しかも感磁性導電体は接着材料成分比率の高い部分で接着固定されるので機械的強度の点でも有利である。
これについては部品側と基板側の構成を逆にして、基板側に感磁性導電粉を含む接着材料を塗布する方法も同様に有効であった。
【００３８】
【発明の効果】
本発明によれば高温で処理する必要のあるはんだ付けをなくすることが出来るので鉛を用いない実装および部品自体に鉛を用いないことが可能となりまた従来のように導電性接着剤のみで接続する場合に比較して高密度に実装することも可能になった。
また接着性の良い材料を使うことから確実な接続も可能となった。
さらに低い温度で処理することから従来はんだ付けでは実装出来なかった電解コンデンサーや液晶などの電子部品も同時に実装出来るようになった、従来液晶などは基板に直接実装することは出来ずゼブラゴムやフレキシブルケーブルを使っていたがこれらの部品をなくすることも出来るようになった。
【００３９】
「参考文献」  特願２００１−６１９０９
米国特許    第４１７０６７７号
【図面の簡単な説明】
【図１】  図１は基板もしくは部品の導体電極に接着材料を付着した後磁界を印加して感磁性導電体を電極面にほぼ垂直に立てるとともに電極と接触することで電気的に導通するようにしさらに加熱硬化して固めたものの模式断面図である。
ここで磁界の方向を矢印で示しているが、部品の場合は磁界の方向はS極となるものである。
【図２】  図２は基板もしくは部品の導体電極に接着材料を付着した後導電性粒子を付着し押し付けることにより電極と接触することで電気的に導通するようにしさらに加熱硬化して固めたものの模式断面図である。
【図３】  図３はフィラーとして感磁性導電粉を含む接着材料を基板もしくは部品の導体電極に付着した後磁界を印加してこのフィラーを電極面にひきつけて電気的接触を図るとともに感磁性導電体を付着してそれを電極面にほぼ垂直になる形で立てて電極面方向に引き付けて、電極と直接接触するかもしくは導電性を有するフィラーを介して電極と電気的に導通するようにした後加熱硬化して固めたものの模式断面図である。
ここにおいて磁界の方向は基板の場合はN極、部品の場合はS極とするが図では矢印でN極を示している。
【図４】  図４は基板側を下、部品側を上として図１に示す形の電極部を対向させて接続し、接着材料で固定した形の接続方法の模式断面図である。
ここでは双方に感磁性導電体を用いた場合を示しているが、導電性粒子を一方または双方に用いた場合も磁界を印加するかしないかの違いを除いてはほぼ同様である。
【図５】  図５は基板側を下、部品側を上として図１に示す形の電極部を対向させて双方の間に感磁性導電フィラーを含む接着剤を介在させ、フィラーにより導電性を向上させた形で接続する方法の模式断面図である。
ここでは感磁性導電体を用いた場合の例を示しているが、一方もしくは双方に導電体粒子を用いた場合についても同様の形状で導電性の向上が期待できる。
銀などを含む導電性接着材料を用いた場合の形状も感磁性導電フィラーが磁気により配向されることを除けばほぼ同様の形状に仕上がる。
【図６】  図６は基板を下、部品を上として感磁性導電体に感磁性導電粉を付着させて感磁性導電粉を介して上下の電気的接続を図るとともに接着材料により固めた形の接続方法を示す模式断面図である。
【図７】  図７は基板を下、部品を上として基板側は感磁性導電体を付着した接続部を有し、部品側には導電接着材料を付着して所定の位置に実装して押さえつけて硬化せしめることにより導電接続した場合の模式断面図である。
【図８】  図８は基板を下、部品を上として基板側は感磁性導電体を付着した接続部を有し、部品側には感磁性導電粉をフィラーとして含む接着材料を付着して所定の位置に実装して押さえて磁界の存在下で硬化せしめることにより導電接続した場合の模式断面図である。
【符号の説明】
１    基板本体
２    基板側電極
３    基板側接着材料
４    感磁性導電体
５    導電性粒子
６    感磁性導電粉を含む接着材料
７    感磁性導電粉によるフィラー
８    接着材料
９    部品側感磁性導電体
１０  部品側電極
１１  部品本体
１２  部品側接着材料
１３  感磁性導電粉末
１４  導電性接着材料
１５  部品電極側の感磁性導電粉末を含む接着材料
【図１】
0003842981.tif 000002
【図２】
0003842981.tif 000003
【図３】
0003842981.tif 000004
【図４】
0003842981.tif 000005
【図５】
0003842981.tif 000006
【図６】
0003842981.tif 000007
【図７】
0003842981.tif 000008
【図８】
0003842981.tif 000009